(57)【要約】【課題】  もぐら捕獲具設置時に必要となる掘削や捕獲筺内への土入れの手間を軽減し、簡単で、且つもぐらが掛かりやすい構成とし、設置した後の除去作業を無用とするもぐら捕獲具を提供する。【解決手段】  捕獲筺の側面を格子柵状に形成し、当該捕獲筺の出入口を閉じる格子扉を保持する係止部を２つ設け、当該出入口それぞれに紐状体のトリガー部を設け、全体を生分解性素材で形成することを特徴とする生分解性もぐら捕獲具。【選択図】図１
2016034266.tif 000002
【特許請求の範囲】
【請求項１】
もぐら捕獲函の側面を格子柵状に形成し、当該捕獲函にもぐらの入口となる開口部を２つ設け、当該捕獲函開口部の上部にガイド孔を設け、当該ガイド孔に連結材で連結された格子扉の柱を遊挿し、当該格子扉に引張紐の一端を取り付け、他端を弾性体の一端と連結し、当該弾性体の他端を当該側面格子柵の柱に取り付け、引張支持される当該格子扉を開状態に保持する係止部を２つ設け、それぞれの当該係止部にトリガー紐の一端を取り付け、他端をそれぞれの当該開口部下側に取り付けることを特徴とする生分解性もぐら捕獲具。
【請求項２】
請求項１において、トリガー部材に紐状体を用いることを特徴とする生分解性もぐら捕獲具。
【請求項３】
請求項１、または請求項２において、平輪ゴムの様な弾性体を捕獲函の内側の上部である天板の下側に配することを特徴とする生分解性もぐら捕獲具。
【請求項４】
請求項１における、全体の構成材に生分解性素材を用いて形成することを特徴とする生分解性もぐら捕獲具。
【発明の詳細な説明】
【技術分野】
【０００１】  本発明は、もぐら捕獲具に関するものである。
【背景技術】
【０００２】  従来より、普及している筒型のもぐら捕獲具があり、内側方向へ開閉する扉を設けており、その扉をもぐらが押して中へ入ると外へ出られなくなるというものである（特許文献１参照）。【０００３】  次に、比較的もぐらが掛かりやすい構造の捕獲器があり、網製の捕獲ケースに開口部や掛止解除部材を設け、ばね力の作用で塞ぐ蓋を設け、もぐらが掛止解除部材に触れると侵入口を塞ぎ捕獲するというものである（特許文献２参照）。【０００４】  次に、設置が容易でありもぐらが掛かりやすく構造が簡単な捕獲器があり、地表面に設置されるもぐら検知板や殺傷針に作用するばねを支持する支柱を設け、もぐらが地表面近くを移動し検知板を押し上げると殺傷針が下方へ刺さり捕獲するというものである（特許文献３参照）。【０００５】  また、使い捨て型の捕獲具に関するものもあり、台紙に塗布した粘着剤によりもぐらを捕獲し紙製の本体ごと処分することができるというものである（特許文献４参照）。
【先行技術文献】
【特許文献】
【０００６】
【特許文献１】特開平４−３１６４４５号公報
【特許文献２】特許公開２００３−１１６４４４号公報
【特許文献３】特許公開２０１２−５４００号公報
【特許文献４】特開２００３−１３１号公報
【発明の概要】
【発明が解決しようとする課題】
【０００７】  文献１に示される先行技術は、低コストで簡単な構造により一般的に普及しており捕獲方法としての実績はあるが、もぐらは警戒心が強いため金属や樹脂などで形成してある筒内には入りづらく捕獲率が低いという問題があり、また掛かったもぐらの生存率が低く生け捕りは難しいという点もある。【０００８】  文献２に示される先行技術は、捕獲ケースを網で形成し内側に土を入れて設置できるためもぐらの警戒心を弱めて捕獲率を高めている。また、もぐらを生け捕りにできるという利点や両方向からの侵入でも捕獲できるという利点もあるが、複雑な構造であるという点やケース中央にトリガー部を設けるため捕獲ケースの全長をもぐら全長の２倍以上にする必要があり、その大きさから設置の際に大きな穴を掘る手間が生じている。また、網のケース内に土を入れるという厄介な手間の掛かる問題もある。【０００９】  文献３に示される先行技術は、構成全体を２本の柱で支えるという比較的簡単な構造であるため設置に手間が掛からず、またもぐらが警戒せずに入り込むため捕獲率が高いという利点はあるが、殺傷針を用いるため生け捕りにすることができないという問題があり、加えてグランドのように人の立ち入りの多いところでは危険性が大きく、事実上使用できないという問題がある。【００１０】  文献４に示される先行技術は、もぐらの処分に手間が掛からないという利点はあるが、鼠と異なり、もぐらの場合は土中を進むため粘着剤に付着しづらく、また雨や土中の水分によって紙の強度が低下するため、強い爪を持つもぐらは簡単に破いて抜け出てしまうという問題がある。【００１１】  本発明は以上のような問題点を解決するためになされたものである。
【課題を解決するための手段】
【００１２】  上記目的を達成するための本発明の第１の解決手段としては、もぐら捕獲函の側面を格子柵状に形成し、当該捕獲函にもぐらの入口となる開口部を２つ設け、当該捕獲函開口部の上部にガイド孔を設け、当該ガイド孔に連結材で連結された格子扉の柱を遊挿し、当該格子扉に引張紐の一端を取り付け、他端を弾性体の一端と連結し、当該弾性体の他端を当該側面格子柵の柱に取り付け、引張支持される当該格子扉を開状態に保持する係止部を２つ設け、それぞれの当該係止部にトリガー紐の一端を取り付け、他端をそれぞれの当該開口部下側に取り付ける構成である。【００１３】  次に、本発明の第２の解決手段としては、前記第１の解決手段において、トリガー部材に紐状体を用いる構成である。【００１４】  次に、本発明の第３の解決手段としては、前記第１、または前記第２の解決手段において、平輪ゴムの様な弾性体を捕獲函の内側の上部である天板の下側に配する構成である。【００１５】  次に、本発明の第４の解決手段としては、前記第１の解決手段における、全体の構成材に生分解性素材を用いて形成するものである。
【発明の効果】
【００１６】  以上の説明にあるように本発明は捕獲筺の側面を格子状に形成するため、筺体側面から土を入れやすいという利点がある。開口部から土を入れる方式ではトリガー部に引っ掛かりやすく係止部が外れて設置し直すという手間が発生する場合があり、また前記文献２のように網ケース内に土を入れる際の手間があり、本発明はこれら問題の解決手段となっている。【００１７】  次に、本発明は両方向からの侵入でも捕獲可能でありながら、小型化を達成しており、これは２カ所のトリガー部と２つの係止部で係脱するという特徴によるものである。前記文献２のようにケース中央１カ所にトリガー部を設ける構成と比べて捕獲具の全長を約半分の長さにすることが可能であり、設置の際に必要な掘削の手間を軽減する効果がある。【００１８】  次に、本発明のトリガー部を紐状体で形成する構成は、もぐらの習性を効果的に利用するものであり、本構成はそのトリガー部を２つ設けているため、掛かりやすく捕獲率の高いものとなっている。更に、天板の下に弾性体を配する構成は天日や風雨にさらされないため、劣化を抑えることができ、土や石が伸縮の妨げとならない効果的な配置である。加えて、上部の連結材や格子扉はもぐらが掛かったときは下に降りているため、捕獲をひと目で知ることができ、生け捕りを目的とするときに有効である。【００１９】  次に、生分解性樹脂やオイルと紙や木材などを組み合わせた構成は耐久性を重視しない素材を用いることができるため、大幅な低コスト化を計ることができ、また使い捨てにすることができる点は後処理不要を可能としている。この機能は、グランドや公園などの芝生地におけるもぐら対策として非常に有用であり、広い面積に多数出没するもぐらを駆除する場合は多数の捕獲具を適所に次々と仕掛ける必要があるため、本発明の特徴を活用することで成果を高めることができる。さらに、近年開発された生分解性樹脂は強度のある高光沢の生分解性被膜を有し、土中に埋めれば２〜５年かけて分解するという特性があるため、本発明のように土中に放置し、且つ使い捨てにする捕獲具の形成材として非常に適している。【００２０】  次に、芝生地で捕獲具に掛かったもぐらを放置したときの効果を説明すれば、その死骸の臭いのため周辺には２ヶ月以上他のもぐらは入ってこないという忌避効果があり芝生被害を抑えることができ、更に放置することは芝生地を掘り返さず済むため景観を保つ効果があるためもぐら駆除、及び芝生管理作業を行う上で有効である。【００２１】  なお、捕獲具ともぐらが生分解すると体積が減少し芝生が僅かに陥没することになるが、芝生地の目土作業の際に平らに均すため跡は残らずに景観を保つことができる。
【図面の簡単な説明】
【００２２】
【図１】  本発明の第１実施例の斜視図
【図２】  図１に示される本発明の一部である下段部の斜視図
【図３】  図１に示される本発明の開口部の分解斜視図
【図４】  図１に示される本発明における開口部の閉じた状態を示す部分斜視図
【図５】  図１に示される本発明の開口部の開いた状態を示す側面図
【図６】  図５に示される本発明の部分的係脱状態を示す側面図
【図７】  図５に示される本発明の係脱状態の一層の進行を示す側面図
【図８】  図１に示される本発明の係止部の形態を変えた実施例を示す斜視図
【図９】  図１に示される本発明の設置状態を示す正面図
【図１０】  図１に示される本発明の開口部を片側だけにした実施例を示す斜視図
【発明を実施するための形態】
【００２３】  次に、本発明の第１実施の形態を図１ないし図３を参照し説明すれば、先ず図２に示す下段部は底板（７）のそれぞれの短辺側に孔（１４）を設け、底板（７）の長辺に沿って複数の柱（１）や引張支持柱（１８）を立設し、それぞれの引張支持柱（１８）にゴム（１１）の一端を取り付け、他端を引張紐（５）の一端に連結するものである。次に、上段部は天板（６）のそれぞれの短辺側に孔（１９）を設け、ガイド部（２１）にガイド孔（２０）を設け、孔（１９）とガイド孔（２０）が連接するようにガイド部（２１）を天板（６）に取り付け、連結部材（１３）を介して連結される格子扉（４）の柱をガイド孔（２０）と孔（１９）に遊挿し、連結部材（１３）を保持する係止部（１０）を２つ設け、それぞれの係止部（１０）にトリガー紐（９）の一端を取り付けるものである。本発明は前記上段部と前記下段部を上下に重ねた構成であり、天板（６）と底板（７）を柱（１）や引張支持柱（１８）を介して取り付け、長辺側が格子柵となる筺体を形成し、前記引張紐（５）の他端を格子扉（４）の上部に取り付け、前記それぞれのトリガー紐（９）の他端を底板（７）のそれぞれの短辺側に取り付けてなるものである（請求項１記載）。
【００２４】  この構成の筺体側面に設ける格子柵の柱の間隔は、もぐらが抜け出せず、且つ土を入れやすい位の幅に設けるものである。
【００２５】  次に、図４は格子扉（４）が閉じている状態を示し、孔（１４）の大きさを説明する図である。入り込んだ土で格子扉（４）と底板（７）の間に隙間が生じるともぐらが前足で持ち上げて抜け出てしまうことがあるため、孔（１４）を大きく形成して隙間の発生を防いでいる。
【００２６】  これは、ゴム（１１）などの弾性体が劣化し復元力が低下したときに有効となる手段である。
【００２７】  次に、図５ないし図７を参照しつつその機能について説明すれば、先ず図５は図１の側面図であり係止部（１０）のストッパー作用により、連結部材（１３）と格子扉（４）は引張保持されている状態である。
【００２８】  次に、図６はもぐら（１２）の前足が入口側のトリガー紐（９）に掛かり片方の係止部（１０）を外した状態を示すものである。木や草の生育箇所にはみみずや芋虫などのもぐらの餌が多くあるため、餌を求めて木の根や草の根をかき分けたり食いちぎったりしながら進む習性がある。紐状体であるトリガー紐（９）は根に近い形のものであり、もぐらの前足に掛かると強く引っ張られるためトリガ−部材として適している（請求項２記載）。
【００２９】  次に、図７はもぐら（１２）を捕獲した状態を示すものであり、もぐら（１２）が出口側のトリガー紐（９）に掛かりストッパーである係止部（１０）が外れて両方の格子扉（４）が閉まりもぐら（１２）を筺体内に閉じ込めた状態である。この紐や係止部などの構成はもぐら（１２）の入る向きが反対であっても同様に機能し、両方向からの侵入に対応することができる。
【００３０】  なお、この構成の格子扉（４）を下方へ引っ張る力は弾性体の復元力を利用しており、この素材としては生分解性であるゴム（１１）や耐久性の高い引きばねなどを用いることができ、それらの特性を活かした構成にすることができる。
【００３１】  また、図９に示すように弾性体を天板（６）の下に配する構成は弾性体の劣化を防ぐことができ、土（１８）は筺体の上部まで到達しないため弾性体の動きの障害とならないという利点もある（請求項３記載）。
【００３２】  次に、図８は前記構成の係止部（１０）を小型にする例であり、係止部（３）を格子扉（４）と天板（６）の間に配し、そのストッパー作用により格子扉（４）を引張保持する構成である。これは係止部（３）の数を多くすることで連結部材（１３）を省略することができる例である。
【００３３】  次に、図９は土を入れた状態を示す例であり、このように側面格子柵のほとんどが埋没するためもぐらの警戒心を薄らぐことができる。また、中央に張られたトリガー紐（２）は植物の根に近い形状であるためもぐらが入りやすい形になっている。
【００３４】  次に、図１０に示す構成は図１における構成の捕獲機能を片方向だけにする例であり、先ず、筺体は天板（１６）と底板（１７）、及び格子柵からなり、その長辺側二辺の格子柵に加えて短辺側の一辺も格子柵となるように柱（１）で形成し、格子扉（２２）を天板（１６）の開口部側に設け、トリガー紐（１５）を格子柵のある短辺側に張設するものである。
【００３５】  この構成は少ない部品数によりコストの低減を計るものであり、もぐらの坑道が行き止まりとなっているところや直角に近い曲がり角に捕獲具を仕掛ける場合、両方向からの侵入に対応する機能は不用であるため、この構成により適したものとすることができる。
【００３６】  次に、第３実施の形態として本発明の筺体や扉、或いは紐などの構成材を木材や竹ひご、或いは麻縄などの生分解性素材を用いて形成することができ、更に生分解性樹脂をコーティングすることで制御された耐久性を有するものとすることができる（請求項４記載）。
【００３７】  更に、格子扉（４）や係止部（１０）の潤滑剤として無味無臭な生分解性オイルを用いることで円滑に動くようにすることができる。
【００３８】  加えて、前記文献１や前記文献３を生分解性素材を用いて構成することも十分可能であり、この形態の捕獲具でも生分解性素材による効果が期待できる。
【符号の説明】
【００３９】１    柱
２    トリガー紐
３    係止部
４    格子扉
５    引張紐
６    天板
７    底板
８    土
９    トリガー紐
１０  係止部
１１  ゴム
１２  もぐら
１３  連結材
１４  孔
１５  トリガー紐
１６  天板
１７  底板
１８  引張支持柱
１９  孔
２０  ガイド孔
２１  ガイド部
２２  格子扉
【図１】
2016034266.tif 000003
【図２】
2016034266.tif 000004
【図３】
2016034266.tif 000005
【図４】
2016034266.tif 000006
【図５】
2016034266.tif 000007
【図６】
2016034266.tif 000008
【図７】
2016034266.tif 000009
【図８】
2016034266.tif 000010
【図９】
2016034266.tif 000011
【図１０】
2016034266.tif 000012